【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
車両用シートの幅方向の両端部に設けられたサイドフレームを有するシートバックフレームであって、
エアバッグの力布を取り付けるための力布取り付け部材が、前記サイドフレームに形成された差し込み穴に取り付けられており、
前記差し込み穴として、上方に位置する上方の差し込み穴と、下方に位置する下方の差し込み穴とが形成されており、
前記サイドフレームには、前記差し込み穴の位置からシート幅方向内側に窪むことで形成された凹部が設けられており、
前記車両用シートにおいて、前記凹部が設けられた位置が、前記上方の差し込み穴と前記下方の差し込み穴の間であることを特徴とするシートバックフレーム。
【請求項２】
前記上方の差し込み穴と、前記下方の差し込み穴は、シート幅方向に対し、同一平面上に形成されていることを特徴とする請求項１に記載のシートバックフレーム。
【請求項３】
前記凹部は、前記上方の差し込み穴の下方に設けられていることを特徴とする請求項１又は２に記載のシートバックフレーム。
【請求項４】
前記凹部は、前記下方の差し込み穴の後方に設けられていることを特徴とする請求項１乃至３のいずれか一項に記載のシートバックフレーム。
【請求項５】
前記凹部は、前記下方の差し込み穴の下方に設けられていることを特徴とする請求項１乃至４のいずれか一項に記載のシートバックフレーム。
【請求項６】
前記凹部は、前記下方の差し込み穴の後方に設けられており、
前記上方の差し込み穴の下方に設けられている前記凹部は、前記下方の差し込み穴の後方に設けられている前記凹部と連結されていることを特徴とする請求項３に記載のシートバックフレーム。
【請求項７】
前記凹部は、前記下方の差し込み穴の下方に設けられており、
前記上方の差し込み穴の下方に設けられている前記凹部は、前記下方の差し込み穴の下方に設けられている前記凹部と連結されていることを特徴とする請求項３に記載のシートバックフレーム。
【請求項８】
前記凹部は、前記下方の差し込み穴よりも、上下方向に長く形成されていることを特徴とする請求項１乃至７のいずれか一項に記載のシートバックフレーム。
【請求項９】
前記凹部は、前記下方の差し込み穴よりも、前後方向に長く形成されていることを特徴とする請求項１乃至８のいずれか一項に記載のシートバックフレーム。
【請求項１０】
請求項１乃至９のいずれか一項に記載のシートバックフレームを備えるシートフレームと、シートバックと、シートクッションと、ヘッドレストと、前記シートフレームに載置されたパッド材と、前記パッド材の表面を覆う表皮材と、を備え、
前記シートクッションが、車体フロアに固定されたロアレールに沿ってスライド移動可能なアッパーレールに取り付けられることを特徴とする車両用シート。
【手続補正２】
【補正対象書類名】明細書
【補正対象項目名】発明の名称
【補正方法】変更
【補正の内容】
【発明の名称】シートバックフレーム、及び車両用シート
【手続補正３】
【補正対象書類名】明細書
【補正対象項目名】０００８
【補正方法】変更
【補正の内容】
【０００８】
前記課題は、本発明のシートバックフレームによれば、車両用シートの幅方向の両端部に設けられたサイドフレームを有するシートバックフレームであって、エアバッグの力布を取り付けるための力布取り付け部材が、前記サイドフレームに形成された差し込み穴に取り付けられており、前記差し込み穴として、上方に位置する上方の差し込み穴と、下方に位置する下方の差し込み穴とが形成されており、前記サイドフレームには、前記差し込み穴の位置からシート幅方向内側に窪むことで形成された凹部が設けられており、前記車両用シートにおいて、前記凹部が設けられた位置が、前記上方の差し込み穴と前記下方の差し込み穴の間であることにより解決される。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、上記のシートバックフレームにおいて、前記上方の差し込み穴と、前記下方の差し込み穴は、シート幅方向に対し、同一平面上に設けられているとよい。
【手続補正６】
【補正対象書類名】明細書
【補正対象項目名】００１１
【補正方法】変更
【補正の内容】
【００１１】
また、上記のシートバックフレームにおいて、前記凹部は、前記上方の差し込み穴の下方に設けられているとよい。
【手続補正７】
【補正対象書類名】明細書
【補正対象項目名】００１２
【補正方法】変更
【補正の内容】
【００１２】
また、上記のシートバックフレームにおいて、前記凹部は、前記下方の差し込み穴の後方に設けられているとよい。
【手続補正８】
【補正対象書類名】明細書
【補正対象項目名】００１３
【補正方法】変更
【補正の内容】
【００１３】
また、上記のシートバックフレームにおいて、前記凹部は、前記下方の差し込み穴の下方に設けられているとよい。
【手続補正９】
【補正対象書類名】明細書
【補正対象項目名】００１４
【補正方法】変更
【補正の内容】
【００１４】
また、上記のシートバックフレームにおいて、前記凹部は、前記下方の差し込み穴の後方に設けられており、前記上方の差し込み穴の下方に設けられている前記凹部は、前記下方の差し込み穴の後方に設けられている前記凹部と連結されているとよい。
【手続補正１０】
【補正対象書類名】明細書
【補正対象項目名】００１５
【補正方法】変更
【補正の内容】
【００１５】
また、上記のシートバックフレームにおいて、前記凹部は、前記下方の差し込み穴の下方に設けられており、前記上方の差し込み穴の下方に設けられている前記凹部は、前記下方の差し込み穴の下方に設けられている前記凹部と連結されているとよい。
【手続補正１１】
【補正対象書類名】明細書
【補正対象項目名】００１６
【補正方法】変更
【補正の内容】
【００１６】
また、上記のシートバックフレームにおいて、前記凹部は、前記下方の差し込み穴よりも、上下方向に長く形成されているとよい。
【手続補正１２】
【補正対象書類名】明細書
【補正対象項目名】００１７
【補正方法】変更
【補正の内容】
【００１７】
また、上記のシートバックフレームにおいて、前記凹部は、前記下方の差し込み穴よりも、前後方向に長く形成されているとよい。
【手続補正１３】
【補正対象書類名】明細書
【補正対象項目名】００１８
【補正方法】変更
【補正の内容】
【００１８】
また、車両用シートにおいて、前記シートバックフレームを備えるシートフレームと、シートバックと、シートクッションと、ヘッドレストと、前記シートフレームに載置されたパッド材と、前記パッド材の表面を覆う表皮材と、を備え、前記シートクッションが、車体フロアに固定されたロアレールに沿ってスライド移動可能なアッパーレールに取り付けられるとよい。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
本発明のシートバックフレームによれば、サイドフレームの隣接領域に対して適切に力布取り付け部材を取り付けることが可能となる。
また、本発明のシートバックフレームによれば、隣接領域におけるスペースを有効利用して力布取り付け部材を取り付けることが可能となる。
また、本発明のシートバックフレームによれば、サイドフレームの離間領域に対して適切に力布取り付け部材を取り付けることが可能となる。
また、本発明のシートバックフレームによれば、サイドフレームの離間領域に対して適切に力布取り付け部材を取り付ける際に、離間領域の一部が力布取り付け部材と干渉するのを効果的に回避することが可能となる。